(57)【特許請求の範囲】
【請求項１】
浴槽に設けたノズルの吸込口からヒータを経て，流量切替弁の流路に繋げ，ノズルの上向きの吐出口から浴槽内に至るようにした加熱循環回路と、加熱循環回路から分岐してノズルの下向きの吐出口に至るようにするもので，吸気菅，微細気泡ポンプ，空気分離タンク，微細気泡用オリフィスにて構成される微細気泡発生回路とからなり，空気分離タンクと微細気泡用オリフィスの間から分岐菅を流量切替弁のダイアフラム押えブッシュに接続するようにした循環加熱風呂において、
流量切替弁を、弁胴内の流路と直交するような弁室を設け、弁室の流路側に弾性体からなるダイアフラムをダイアフラム押えブッシュにてねじ込むことで配し、ダイアフラムと対向する流路には、オリフィスを設けるとともにダイアフラムの密着する側辺を備える減流板をはめ込み、弁室に微細気泡発生回路からの分岐菅を経て流体が入ってダイアフラムに圧力を及ぼすとダイアフラムが減流板の側辺に密着して塞ぎ、減流板のオリフィスのみが加熱循環回路の流路となるように構成したことを特徴とする気泡浴槽装置。
【発明の詳細な説明】
【０００１】
【産業上の利用分野】
この発明は、浴槽の湯を加熱循環させると共に，適宜気泡を混入させる微細気泡発生機構を備えた気泡浴槽装置に関するもので、特に流量切替弁に特徴を有するもので、主たる加熱循環回路に設け、微細気泡発生回路からの分岐菅を弁室のダイアフラムにつなげることで主たる加熱循環回路の流量を絞ることができるようにしたものである。
【０００２】
【従来の技術】
従来より、気泡浴槽装置において、流体の流量を切り替えるための簡便な手段としては電磁弁などが知られている。
特開平５−１１１５１９号の気泡風呂装置にも水流の切替手段として電磁弁が使用されており、この種の装置に電磁弁が用いられるのは極めて一般的である。
【０００３】
【発明が解決しようとする課題】
しかし、電磁弁は、電気的な制御により弁の開閉を行うものであるから、これを用いるためには専用の電気回路を組む必要があり、機構として複雑となるばかりかコスト高となる問題があった。
また、電気による機械的な弁の開閉は、開閉頻度が高くなれば故障の頻度も高くなり、その修理も構造が複雑であるため簡単にできないという問題があった。
この発明は、上記の電磁弁の問題点に鑑みて開発したもので、電気方式によることなく、構造簡単で耐久性があり、簡単に修理が行える流量切替弁を気泡浴槽装置に採用したものである。
【０００４】
浴槽の湯を加熱循環させる過程で、この循環を止めることなく同時に微細気泡を噴出することのできる流量切替弁を備えた気泡浴槽装置を提供するものである。
浴槽装置は、加熱のために湯を循環させる主たる配管と、微細気泡を混入しこれを噴出させる主たる配管の途中から分岐した従たる配管から構成される。
そして、浴槽内に噴出させた微細気泡を消滅させず充満させるためには、微細気泡の噴出時に主たる配管の流量を絞って循環させる必要がある。この発明はかかる目的を達するために行ったものである。
【０００５】
【課題を解決するための手段】
そこで、この発明では主たる加熱循環回路に取り付ける流量切替弁の弁室に、並行する微細気泡発生回路からの分岐管を繋げ、主たる循環循環回路に湯水を流しながら、並行する微細気泡発生回路を作動し湯水を流すと、この圧力により弁室のダイアフラムを押圧して主たる加熱循環回路の流量を絞ることで切り替えられるようにしたものである。
そして、この発明の要旨とするのは、浴槽に設けたノズルの吸込口からヒータを経て，流量切替弁の流路に繋げ，ノズルの上向きの吐出口から浴槽内に至るようにした加熱循環回路と、加熱循環回路から分岐してノズルの下向きの吐出口に至るようにするもので，吸気菅，微細気泡ポンプ，空気分離タンク，微細気泡用オリフィスにて構成される微細気泡発生回路とからなり，空気分離タンクと微細気泡用オリフィスの間から分岐菅を流量切替弁のダイアフラム押えブッシュに接続するようにした循環加熱風呂において、流量切替弁を、弁胴内の流路と直交するような弁室を設け、弁室の流路側に弾性体からなるダイアフラムをダイアフラム押えブッシュをねじ込むことで配し、ダイアフラムと対向する流路には、オリフィスを設けるとともにダイアフラムの密着する側辺を備える減流板をはめ込み、弁室に微細気泡発生回路からの分岐菅を経て流体が入ってダイアフラムに圧力を及ぼすとダイアフラムが減流板の側辺に密着して塞ぎ、減流板のオリフィスのみが加熱循環回路の流路となるように構成したことを特徴とする。
【０００６】
【実施例】
以下図面に示す実施例に即してこの発明の内容を説明する。
図１は流量切替弁１の断面図である。
この流量切替弁１は、長方形状をなし中央の断面積を狭めた貫通する流路１１とこの流路１１と直交する弁室１２を設けてなる弁胴１０、弁室１２にねじ込むダイアフラム押えブッシュ１３、ダイアフラム押えブッシュ１３にて固定されるダイアフラム１４及びダイアフラム１４に向き合う減流板１５とからなるものである。
【０００７】
弁胴１０の流路１１は両端部の雌ねじ１１ａを切ってなる大径流路１１１と中央の弁室１２と連通する小径流路１１２からなるものであり、弁室１２は小径流路１１２と連通するのであるが、段部１２１をもってダイアフラム押えブッシュ１３及びダイアフラム１４を内装できるようになっている。段部１２１から弁室１２の開放端までの内面には雌ねじ１２ａを切ってある。
弁胴１０の小径流路１１２の流れ方向と直行する箇所には凹部１１２ａを設けてあり、減流板１５をはめ込み固定できるようにしてある。
ダイアフラム押えブッシュ１３は外周の雄ねじ１３ａを弁室１２の雌ねじ１２ａにねじ込み椀型のゴムまたはプラスチックの弾性体からなるダイアフラム１４の周縁を段部１２１に押し付けて固定するものである。このダイアフラム押えブッシュ１３の内周には雌ねじ１３ｂを設けて分岐管３を接続できるようになっている。
ダイアフラム１４は段部１２１とダイアフラム押えブッシュ１３に挟み込まれて弁室１２と流路１１を水密に分かつことになる。また、ダイアフラム１４はダイアフラム押えブッシュ１３のねじ溝間に挟み込まれて固定されているため弁室１２や流路１１から漏水することを完全に防止している。
減流板１５は円形のオリフィス１５ａを穿孔してあるとともに、ダイアフラム１４の椀型の突起の曲率に合わせた弧状側辺１５ｂを備えるようにしてなり、小径流路１１２を塞ぐように凹部１１２ａにはめ込み固定する。
なお、図示しないが、ダイアフラム１４の弾性が高い場合は、ダイアフラム１４を椀型の突起にし減流板１５に弧状側辺を形成する必要はない。要は流体の圧力によってダイアフラム１４が減流板１５に密着し弁室１２と流路１１を完全に分かつ機構であれば、ダイアフラム１４と減流板１５の形状はどのように構成してもよい。
【０００８】
このような構成からなる流量切替弁１は加熱循環回路２に繋ぎ、ポンプで一定の流量を通すようにしてあり、弁室１２には微細気泡発生回路３からの分岐管４をダイアフラム押えブッシュ１３に接続して流体が流れ込むようにしてある。
そこで、流量切替弁１はポンプにて一定の流量を流すと、オリフィス１５ａとダイアフラム１４と弧状側辺１５ｂの間を通って流れることになるが、微細気泡発生回路３を作動させることで分岐管４から流体が弁室１２に供給されるとダイアフラム１４が減流板１５の弧状側辺１５ｂに圧接して塞ぎ、オリフィス１５ａのみから流体が流れることになる。
すなわち、加熱循環回路２の通過口が縮小して流量が減少することになる。
【０００９】
図６はこの発明に係る気泡浴槽装置の要部概略図である。
加熱循環回路２は、浴槽Ｂに設けたノズルＮの吸込口からヒータＨ、ろ過器Ｆ、ポンプＰ、活性化槽Ｒさらに同じヒータＨを経て、流量切替弁１の流路１１に繋げ、ノズルＮの上向きの吐出口から浴槽Ｂ内に至るようにしてある。ろ過器ＦとポンプＰの配管にはオゾン発生機Ｏを繋げてオゾンエアを注入するようにしてある。
微細気泡発生回路３は、加熱循環回路２の一部を構成するろ過器Ｆから分岐してノズルＮの下向きの吐出口に至るようにするもので、まず、吸気管Ｋを繋げ、微細気泡ポンプＰ１、空気分離タンクＴ、微細気泡用オリフィスＬにて構成されるものである。
【００１０】
そして、空気分離タンクＴと微細気泡オリフィスＬからの分岐管４を流量切替弁１のダイアフラム押えブッシュ１３に接続する。
これにより、加熱循環回路２を作動させている時に微細気泡発生回路３を同時に作動させると、加熱循環回路２により浴槽の還流される湯水を絞って、吸込口から吸引された湯水を加熱循環回路２と微細気泡発生回路３のそれぞれに好適に分配するようにしたのである。
【発明の効果】
【００１２】
この発明は、浴槽の加熱循環回路と微細気泡発生回路を組み合わせた気泡浴槽装置において、加熱循環回路のみ、あるいは双方を同時に作動させるような場合に、加熱循環回路による循環する湯量を絞ることにより、浴槽内の微細気泡が速やかに消失するようなことがなくなるのである。
【００１３】
さらに、この発明にて採用したよる流量切替弁は、弁胴１０、ダイアフラム押えブッシュ１３、ダイアフラム１４、減流板１５の僅か４つの部品によって構成されるため、構造が簡単で耐久性に優れるのである。加えて、ダイアフラム１４や減流板１５の交換が簡単に行え、修理も容易であるという効果がある。
【図面の簡単な説明】
【図１】  流量切替弁の断面図である。
【図２】  流量切替弁の平面図である。
【図３】  流量切替弁の側面図である。
【図４】  減流板の正面図である。
【図５】  ダイアフラム押えブッシュの平面図である。
【図６】  この発明に係る気泡浴槽装置の要部を示す概略図である。
【符号の説明】
１  流量切替弁
１０  弁胴
１１  流路
１２  弁室
１４  ダイアフラム
１５  減流板
１５ａ  オリフィス
１５ｂ  弧状側辺
２  加熱循環回路
３  微細気泡発生回路
４  分岐菅
【図１】
0003706399.tif 000002
【図２】
0003706399.tif 000003
【図３】
0003706399.tif 000004
【図４】
0003706399.tif 000005
【図５】
0003706399.tif 000006
【図６】
0003706399.tif 000007